(57)【要約】【課題】低コストな構成にて照明としてのＬＥＤの温度を適切に検出し、検出した温度に基づいて適切な各種処理を実行する。【解決手段】複数のＬＥＤを発光させる照明部を液晶パネルのバックライトとして備える表示装置において、上記ＬＥＤの順方向電圧降下を検出し、当該検出した順方向電圧降下に基づいてＬＥＤの温度を算出する温度算出部と、上記算出されたＬＥＤの温度に基づいて上記ＬＥＤの発光および又は上記液晶パネルにおける映像表示を制御する制御部と、を備える表示装置。【選択図】図１
2012003156.tif 000002
【特許請求の範囲】
【請求項１】
複数のＬＥＤを発光させる照明部を液晶パネルのバックライトとして備える表示装置において、
上記ＬＥＤの順方向電圧降下を検出し、当該検出した順方向電圧降下に基づいてＬＥＤの温度を算出する温度算出部と、
上記算出されたＬＥＤの温度に基づいて上記ＬＥＤの発光および又は上記液晶パネルにおける映像表示を制御する制御部と、を備えることを特徴とする表示装置。
【請求項２】
映像の階調変化に対する液晶の応答速度を調整可能なオーバードライブ調整部を備え、
上記温度算出部は、上記ＬＥＤの温度に基づいて表示装置の周囲温度を算出し、
上記制御部は、上記オーバードライブ調整部を制御して上記周囲温度に応じて応答速度の設定を変更させることを特徴とする請求項１に記載の表示装置。
【請求項３】
上記制御部は、上記ＬＥＤの温度が所定のしきい値を超えた場合には、上記ＬＥＤへ供給する電流を調整可能なＬＥＤ駆動部を制御して、上記ＬＥＤ駆動部がＬＥＤへ供給する電流を低減させ或いは上記ＬＥＤ駆動部によるＬＥＤへの電流供給を遮断させることを特徴とする請求項１または請求項２に記載の表示装置。
【請求項４】
上記制御部は、上記ＬＥＤの温度に対応して予め決められた補正データに基づいて、上記ＬＥＤへ供給する電流を調整可能なＬＥＤ駆動部を制御することによるＬＥＤの色度補正および又は上記液晶パネルへの表示対象となる映像に対する色補正を実行することを特徴とする請求項１〜請求項３のいずれかに記載の表示装置。
【請求項５】
複数のＬＥＤを発光させる照明部を液晶パネルのバックライトとして備える表示装置において、
上記ＬＥＤの順方向電圧降下を検出する電圧検出回路と、
所定の情報を予め保存したメモリと、
上記ＬＥＤの温度に基づいて所定の制御を実行するマイクロコンピュータと、
上記ＬＥＤへ供給する電流を調整可能なＬＥＤ駆動回路と、
映像の階調変化に対する液晶の応答速度を調整可能なオーバードライブ調整回路と、
上記液晶パネルへの表示対象となる映像に対する色補正を実行可能な画像処理回路とを備え、
上記メモリには、上記ＬＥＤの温度係数と、上記ＬＥＤの温度と表示装置の周囲温度との変換関係を表示装置固有の熱抵抗およびＬＥＤの消費電力に基づいて示す変換データと、周囲温度と上記オーバードライブ調整回路による上記応答速度との対応関係を規定したオーバードライブ設定データと、上記ＬＥＤの温度に対応して決められた色の補正に関する補正データと、上記ＬＥＤの温度に対する所定のしきい値と、が少なくとも保存されており、
上記マイクロコンピュータは、
上記検出した順方向電圧降下と上記温度係数とに基づいてＬＥＤの温度を算出し、
上記算出したＬＥＤの温度と上記変換データとに基づいて上記周囲温度を算出し、
上記算出した周囲温度に対応する応答速度を上記オーバードライブ設定データを参照して決定し、上記オーバードライブ調整回路を制御して上記応答速度の設定を当該決定した応答速度に変更させ、
上記ＬＥＤの温度が上記所定のしきい値を超えた場合には、上記ＬＥＤ駆動回路を制御して、上記ＬＥＤ駆動回路がＬＥＤへ供給する電流を低減させ或いは上記ＬＥＤ駆動回路によるＬＥＤへの電流供給を遮断させ、
上記ＬＥＤの温度に対応する上記補正データに基づいて、上記ＬＥＤ駆動回路を制御することによるＬＥＤの色度補正および又は上記液晶パネルへの表示対象となる映像に対する色補正を実行する、ことを特徴とする表示装置。
【発明の詳細な説明】
【技術分野】
【０００１】
本発明は、表示装置に関する。
【背景技術】
【０００２】
複数のＬＥＤを発光させる照明部を、液晶パネルのバックライトとして使用する表示装置が知られている。発光するＬＥＤは発熱により高温化するが、所定値以上の高温化は、ＬＥＤの輝度低下やＬＥＤの寿命低下、ＬＥＤの破壊等の原因となる。またＬＥＤの温度は、液晶パネルにおける映像表示の質にも影響を与える。そのため、かかる各種問題に対応するには、照明としてのＬＥＤの温度を適切に検出することが必要となる。
【０００３】
ここで、表示パネルの走査線を選択して駆動するためのゲートドライバＩＣの発熱温度を検出するための、ゲートドライバＩＣ内部に設けられたチップ温度モニタ回路であって、ＰＮＰトランジスタのベース‐コレクタ間を短絡させてダイオード構成としたものを複数個直列に接続して感熱部を構成し、これに一定の電流を供給することにより感熱部の順方向降下電圧の温度変化を検出する構成が知られている（特許文献１，２参照。）。
【先行技術文献】
【特許文献】
【０００４】
【特許文献１】特開２００８‐１５２０８７号公報
【特許文献２】特開２００８‐１５２０８８号公報
【発明の概要】
【発明が解決しようとする課題】
【０００５】
従来においては、ＬＥＤの温度を検出するためにサーミスタ等を利用した温度センサが用いられていた。しかしながら、このような温度検出用のセンサを別途搭載することは、製品（表示装置）のコストを上昇させてしまう。また上記各文献は、ゲートドライバＩＣの発熱温度を検出するものであり、照明としてのＬＥＤの温度を検出するものではない。そのため、照明としてのＬＥＤの温度を正確に反映した各種処理を行なうことができなかった（照明としてのＬＥＤの温度が原因となって生じる各種問題を的確に解決することができなかった）。
【０００６】
本発明は上記課題を解決するためになされたものであり、低コストな構成にて照明としてのＬＥＤの温度を適切に検出し、検出した温度に基づいて適切な各種処理を実行することが可能な表示装置を提供する。
【課題を解決するための手段】
【０００７】
本発明の態様の一つは、複数のＬＥＤ（発光ダイオード）を発光させる照明部を液晶パネルのバックライトとして備える表示装置において、上記ＬＥＤの順方向電圧降下を検出し、当該検出した順方向電圧降下に基づいてＬＥＤの温度を算出する温度算出部と、上記算出されたＬＥＤの温度に基づいて上記ＬＥＤの発光および又は上記液晶パネルにおける映像表示を制御する制御部と、を備える構成としてある。
【０００８】
上記構成によれば、照明としてのＬＥＤの順方向電圧降下に基づいてＬＥＤの温度を算出し、算出したＬＥＤの温度に基づいてＬＥＤの発光および又は液晶パネルにおける映像表示を制御する。よって、従来のようにＬＥＤの温度検知用のセンサを設けることなく（すなわち従来よりもコストを下げて）ＬＥＤの温度を適切に得ることができ、かつ、ＬＥＤの温度に基づいて、ＬＥＤの寿命低下や破壊等を防止するための制御処理や、液晶パネルにおける映像表示の質を確保するための制御処理を適切に行なうことができる。
【図面の簡単な説明】
【０００９】
【図１】表示装置の概略構成を示すブロック図である。
【図２】ＬＥＤの電圧と温度との関係を示す図である。
【発明を実施するための形態】
【００１０】
本発明の実施形態として、表示装置は、映像の階調変化に対する液晶の応答速度を調整可能なオーバードライブ調整部を備え、上記温度算出部は、上記ＬＥＤの温度に基づいて表示装置の周囲温度を算出し、上記制御部は、上記オーバードライブ調整部を制御して上記周囲温度に応じて応答速度の設定を変更させる構成としてもよい。
また本発明の実施形態として、上記制御部は、上記ＬＥＤの温度が所定のしきい値を超えた場合には、上記ＬＥＤへ供給する電流を調整可能なＬＥＤ駆動部を制御して、上記ＬＥＤ駆動部がＬＥＤへ供給する電流を低減させ或いは上記ＬＥＤ駆動部によるＬＥＤへの電流供給を遮断させる構成としてもよい。
また本発明の実施形態として、上記制御部は、上記ＬＥＤの温度に対応して予め決められた補正データに基づいて、上記ＬＥＤへ供給する電流を調整可能なＬＥＤ駆動部を制御することによるＬＥＤの色度補正および又は上記液晶パネルへの表示対象となる映像に対する色補正を実行する構成としてもよい。
【００１１】
また本発明のより具体的な構成として、複数のＬＥＤを発光させる照明部を液晶パネルのバックライトとして備える表示装置において、上記ＬＥＤの順方向電圧降下を検出する電圧検出回路と、所定の情報を予め保存したメモリと、上記ＬＥＤの温度に基づいて所定の制御を実行するマイクロコンピュータと、上記ＬＥＤへ供給する電流を調整可能なＬＥＤ駆動回路と、映像の階調変化に対する液晶の応答速度を調整可能なオーバードライブ調整回路と、上記液晶パネルへの表示対象となる映像に対する色補正を実行可能な画像処理回路とを備え、上記メモリには、上記ＬＥＤの温度係数と、上記ＬＥＤの温度と表示装置の周囲温度との変換関係を表示装置固有の熱抵抗およびＬＥＤの消費電力に基づいて示す変換データと、周囲温度と上記オーバードライブ調整回路による上記応答速度との対応関係を規定したオーバードライブ設定データと、上記ＬＥＤの温度に対応して決められた色の補正に関する補正データと、上記ＬＥＤの温度に対する所定のしきい値と、が少なくとも保存されており、上記マイクロコンピュータは、上記検出した順方向電圧降下と上記温度係数とに基づいてＬＥＤの温度を算出し、上記算出したＬＥＤの温度と上記変換データとに基づいて上記周囲温度を算出し、上記算出した周囲温度に対応する応答速度を上記オーバードライブ設定データを参照して決定し、上記オーバードライブ調整回路を制御して上記応答速度の設定を当該決定した応答速度に変更させ、上記ＬＥＤの温度が上記所定のしきい値を超えた場合には、上記ＬＥＤ駆動回路を制御して、上記ＬＥＤ駆動回路がＬＥＤへ供給する電流を低減させ或いは上記ＬＥＤ駆動回路によるＬＥＤへの電流供給を遮断させ、上記ＬＥＤの温度に対応する上記補正データに基づいて、上記ＬＥＤ駆動回路を制御することによるＬＥＤの色度補正および又は上記液晶パネルへの表示対象となる映像に対する色補正を実行する、構成を採用してもよい。
【００１２】
以下、図面を参照しながら本発明の実施形態を説明する。
図１は、本実施形態にかかる表示装置１０の概略構成をブロック図により示している。表示装置１０は、放送信号の受信機能を持ったテレビジョン（液晶テレビジョン）であってもよいし、外部機器から映像を入力して表示するディスプレイであってもよい。表示装置１０は、概略、マイクロコンピュータ１１と、メモリ１２と、画像処理回路１３と、タイミングコントローラ（Ｔ‐ＣＯＮ）１４と、液晶パネル１５と、ＬＥＤ駆動回路１６と、バックライト１７と、電圧検出回路１８とを含む。
【００１３】
マイクロコンピュータ１１は、メモリ１２、画像処理回路１３、Ｔ‐ＣＯＮ１４、ＬＥＤ駆動回路１６、電圧検出回路１８等と接続し、図示しないＣＰＵ、ＲＯＭ、ＲＡＭを備え、ＲＡＭをワークエリアとして利用してＲＯＭに保存された所定のプログラムを実行することにより、表示装置１０を構成する各部を制御（例えば、後述する各処理）し、該各部と通信を行う。
画像処理回路１３は、チューナ（図示せず）や外部機器から、表示対象としての映像を入力し、入力した映像に対して、液晶パネル１５の画素数に応じたスケーリング処理、色補正処理、エッジ強調処理などの各種画像処理を実行し、１画面分の映像を表した映像信号を生成し、Ｔ‐ＣＯＮ１４に出力する。
【００１４】
Ｔ‐ＣＯＮ１４は、入力した映像信号をフレームメモリ（図示せず）に一時的に保存しつつ、当該保存した信号に対応する駆動信号を所定のタイミングで液晶パネル１５に出力することにより、画素の配列により構成された液晶パネル１５の各画素を駆動して液晶パネル１５に映像信号に基づく映像を表示させる。Ｔ‐ＣＯＮ１４は、オーバードライブ（ＯＤ）調整回路１４ａを備える。ＯＤ調整回路１４ａは、映像の階調変化に対する液晶の応答速度を調整可能な回路であり、応答速度を上げるために、映像信号の階調に対応する駆動信号よりも高い電圧（オーバードライブ（ＯＤ）電圧）を一時的に液晶パネル１５側に与える。ＯＤ調整回路１４ａは、ＯＤ電圧を調整することで上記応答速度を変えることができる。
【００１５】
バックライト１７は、複数のＬＥＤ１７ａを直列接続してなるＬＥＤ列を有し、液晶パネル１５の背面側から液晶パネル１５を照射する照明部である。図では、バックライト１７におけるＬＥＤ列を一つだけ例示しているが、このようなＬＥＤ列が液晶パネル１５の画面領域に対応して複数列存在する。また、バックライト１７は発光色の異なるＬＥＤ１７ａで構成されていてもよく、具体的には、発光色がＲ（レッド）であるＬＥＤ１７ａからなるＬＥＤ列、発光色がＧ（グリーン）であるＬＥＤ１７ａからなるＬＥＤ列、発光色がＢ（ブルー）であるＬＥＤ１７ａからなるＬＥＤ列がそれぞれ複数列存在する。図示するように、ＬＥＤ列に対しては順方向の電圧がかけられている。ＬＥＤ駆動回路１６はＬＥＤ１７ａに供給する電流を調整することで、ＬＥＤ１７ａの発光輝度を調整することができる。ＬＥＤ駆動回路１６は、バックライト１７をローカルディミングすることが可能であり、ＬＥＤ列単位で電流供給を調整するとしてもよいし、所定の領域単位でＬＥＤへの電流供給を調整するとしてもよいし、ＬＥＤ一つ一つに対して電流供給を調整するとしてもよい。
【００１６】
電圧検出回路１８は、ＬＥＤ１７ａの順方向電圧降下ＶＦを検出する。電圧検出回路１８は、図示するようにＬＥＤ列を構成する複数のＬＥＤ１７ａまとめての順方向電圧降下ＶＦを検出してもよいし、或いは、一つのＬＥＤ１７ａによる順方向電圧降下ＶＦを検出してもよいし、複数のＬＥＤ１７ａの順方向電圧降下ＶＦの平均値を検出してもよい。また、電圧検出回路１８は、バックライト１７全体で一つの順方向電圧降下ＶＦを検出するとしてもよいし、バックライト１７における所定の領域単位で、各領域を代表する順方向電圧降下ＶＦを検出するとしてもよい。上述したように発光色が異なるＬＥＤ１７ａが存在する場合は、電圧検出回路１８は、発光色が異なるＬＥＤ１７ａ毎に上記のように順方向電圧降下ＶＦを検出してもよい。むろんこの場合も、発光色が異なるＬＥＤ１７ａ毎の順方向電圧降下ＶＦをバックライト１７全体で一組検出するとしてもよいし、所定の領域毎に、発光色が異なるＬＥＤ１７ａ毎の順方向電圧降下ＶＦを検出してもよい。電圧検出回路１８は、検出結果をマイクロコンピュータ１１に出力する。
【００１７】
マイクロコンピュータ１１は、電圧検出回路１８から順方向電圧降下ＶＦを入力するとともに、メモリ１２に予め保存されているＬＥＤ１７ａの温度係数αを読み出し、順方向電圧降下ＶＦと温度係数αとに基づいてＬＥＤ１７ａの温度Ｔｊを算出する。温度Ｔｊは、半導体のジャンクション温度に相当する。温度係数αとは、温度が１℃上昇する毎の電圧の変化量を示しており、例えば、−２〜−４［ｍＶ／℃］程度の数値である。また本実施形態では、定常状態（例えば２５℃）における基準電圧というものが決められている。そこで、マイクロコンピュータ１１は、上記のように一つのＬＥＤ１７ａによる順方向電圧降下ＶＦ又は複数のＬＥＤ１７ａの順方向電圧降下ＶＦの平均値としての順方向電圧降下ＶＦが検出されている場合には、順方向電圧降下ＶＦ（絶対値）を温度係数α（絶対値）で割ることにより、順方向電圧降下ＶＦによる温度変化量を算出し、この温度変化量を上記定常状態の温度２５℃に加えることでＬＥＤ１７ａの温度Ｔｊを算出する。この意味で、電圧検出回路１８およびマイクロコンピュータ１１は、温度算出部に相当する。直列の複数（Ｎ個）のＬＥＤ１７ａまとめての順方向電圧降下ＶＦが検出されている場合には、マイクロコンピュータ１１は、その順方向電圧降下ＶＦを、α×Ｎで割ることにより、順方向電圧降下ＶＦによる温度変化量を算出する。
【００１８】
図２は、ＬＥＤ１７ａの出力側（アノード）の電圧Ｖと温度Ｔｊとの関係を１次関数により示している。図２からわかるように、電圧Ｖは、温度Ｔｊの増加とともに直線的に減少する。言い換えると、ＬＥＤ１７ａによる順方向電圧降下ＶＦが多いほど温度Ｔｊは増加する。かかる１次関数の傾きは、温度係数αを意味する。
【００１９】
上述したように、発光色が異なるＬＥＤ１７ａ毎に順方向電圧降下ＶＦが検出されている場合には、マイクロコンピュータ１１は、発光色毎の順方向電圧降下ＶＦと、発光色が異なるＬＥＤ１７ａ毎にメモリ１２に予め保存された温度係数αとに基づいて、発光色が異なるＬＥＤ１７ａ毎の温度Ｔｊを算出する。すなわち、ＬＥＤ１７ａの発光色が異なれば温度係数αも異なる値となる。
【００２０】
この結果、バックライト１７全体で一つの順方向電圧降下ＶＦが検出されていた場合には、バックライト１７を構成する複数のＬＥＤ１７ａを代表する一つの温度Ｔｊが得られ、バックライト１７の領域毎に順方向電圧降下ＶＦが検出されていた場合には、これら領域毎の温度Ｔｊが得られる。むろん、発光色が異なるＬＥＤ１７ａ毎の順方向電圧降下ＶＦがバックライト１７全体で一組検出されていた場合には、バックライト１７全体を代表する値としての、発光色が異なるＬＥＤ１７ａ毎の温度Ｔｊが一組得られ、バックライト１７の領域毎に、発光色が異なるＬＥＤ１７ａ毎の順方向電圧降下ＶＦが検出されていた場合には、これら領域毎に、発光色が異なるＬＥＤ１７ａ毎の温度Ｔｊの組が得られる。
【００２１】
次に、マイクロコンピュータ１１は、温度Ｔｊに基づいて表示装置１０の周囲温度を算出する。具体的には、メモリ１２に予め保存されている、温度Ｔｊと周囲温度Ｔａとの変換関係を示す変換データＤ１（変換関数）を参照し、上記算出した温度Ｔｊと当該変換関数とに基づいて周囲温度Ｔａを算出する。当該変換関数は、以下の式（１）により表される。
Ｔｊ＝Ｒja×Ｗ＋Ｔａ  …（１）
上記式（１）において、Ｒjaは表示装置１０固有の熱抵抗であり予め規定された数値である。ＷはＬＥＤ１７ａの消費電力であり、ＬＥＤ１７ａに供給される電流および電圧に基づいて計算してもよいし、予め規定された数値を用いても良い。
【００２２】
マイクロコンピュータ１１は、バックライト１７全体で一つの温度Ｔｊを算出した場合には、表示装置１０に関する一つの周囲温度Ｔａを算出し、バックライト１７の領域毎に温度Ｔｊを算出した場合には、それら領域毎に対応する液晶パネル１５の画面における領域毎の周囲温度Ｔａを算出する。また、バックライト１７全体を代表する値としての、発光色が異なるＬＥＤ１７ａ毎の温度Ｔｊを一組算出した場合には、当該組を構成する特定の発光色にかかる温度Ｔｊに基づいて表示装置１０に関する一つの周囲温度Ｔａを算出するか、もしくは、当該組を構成する各発光色にかかる温度Ｔｊそれぞれに基づいて周囲温度Ｔａを算出し、それら周囲温度Ｔａを平均した値を表示装置１０に関する一つの周囲温度Ｔａとする。また、バックライト１７の領域毎に、発光色が異なるＬＥＤ１７ａ毎の温度Ｔｊの組を算出した場合には、各組を構成する特定の発光色にかかる温度Ｔｊに基づいて領域毎に対応する液晶パネル１５の画面における領域毎の周囲温度Ｔａを算出するか、もしくは、各組を構成する各発光色にかかる温度Ｔｊそれぞれに基づいて周囲温度Ｔａを算出し、組単位でそれら周囲温度Ｔａを平均した値を領域毎に対応する液晶パネル１５の画面における領域毎の周囲温度Ｔａとする。
【００２３】
このように温度Ｔｊおよび周囲温度Ｔａを算出したら、マイクロコンピュータ１１は、温度Ｔｊ、周囲温度Ｔａに基づいて、ＬＥＤの発光および又は液晶パネル１５における映像表示を制御する。以下では、温度Ｔｊ、周囲温度Ｔａに基づく制御処理を幾つか例示する（処理１〜処理４）。表示装置１０は、以下の制御処理の全てを実施するとしてもよいし、一部の制御処理を実施するとしてもよい。
【００２４】
処理１
メモリ１２には、オーバードライブ（ＯＤ）設定データＤ２が予め保存されている。ＯＤ設定データＤ２は、周囲温度ＴａとＯＤ調整回路１４ａによる上記応答速度との対応関係を規定したテーブルである。マイクロコンピュータ１１は、上記算出した周囲温度Ｔａに対応する応答速度をＯＤ設定データＤ２を参照して決定し、当該決定した応答速度を、Ｔ‐ＣＯＮ１４のＯＤ調整回路１４ａに通知する。すると、ＯＤ調整回路１４ａは、それまで設定していたＯＤ電圧の値を上記通知された応答速度に対応する値に変更することで応答速度を変更する。液晶は、気温が低い環境において応答速度が遅くなるという特性を有する。そのため、ＯＤ設定データＤ２では、周囲温度が低いほど速い応答速度を対応付けている。その結果、周囲温度Ｔａが低い場合にＯＤ電圧がより高く設定され、周囲温度Ｔａが低いことによる液晶の応答速度の低下が回避される。
【００２５】
なお、マイクロコンピュータ１１が表示装置１０に関する一つの周囲温度Ｔａを算出している場合には、ＯＤ調整回路１４ａに通知される応答速度も一つであり、ＯＤ調整回路１４ａによって、液晶パネル１５の画面領域全体について同じＯＤ電圧で応答速度が変更される。一方、マイクロコンピュータ１１が液晶パネル１５の画面における領域毎の周囲温度Ｔａを算出している場合には、ＯＤ調整回路１４ａには領域毎の周囲温度Ｔａに対応する応答速度が通知され、ＯＤ調整回路１４ａによって、液晶パネル１５の領域毎に応答速度が変更される。
【００２６】
処理２
メモリ１２には、温度Ｔｊに対応して決められた色の補正に関する補正データＤ３が予め保存されている。例えば、温度Ｔｊの変化に応じたバックライト１７の色味（色度）の変化を考慮してかかる色味の変化を打ち消すように映像を補正する補正データＤ３が、温度Ｔｊの値に応じて予め保存されている。補正データＤ３は、液晶パネル１５への表示対象となる映像に対する補正を行なうための補正データであり、例えば、映像のＲＧＢの各階調に適用されるＲＧＢ毎の補正関数である。メモリ１２においては、一つの温度Ｔｊに対して一つの補正データＤ３（ＲＧＢ毎の補正関数）を対応付けたテーブルや、発光色が異なるＬＥＤ１７ａ毎の温度Ｔｊの組み合わせに対して一つの補正データＤ３（ＲＧＢ毎の補正関数）を対応付けたテーブルが保存されている。
【００２７】
マイクロコンピュータ１１は、上記算出した温度Ｔｊに対応する補正データＤ３をメモリ１２から読み出し、当該読み出した補正データＤ３を画像処理回路１３に通知し、画像処理回路１３に補正データＤ３に基づく色補正処理を実行させる。つまり画像処理回路１３は、そのとき処理対象としている映像を構成する画素毎のＲＧＢ階調値を、補正データＤ３により補正する。よって、例えば温度Ｔｊが高すぎるためにバックライト１７の色味が設計上理想とされる白からずれている場合であっても、かかるずれを打ち消すような色補正が映像に対して施され、結果として液晶パネル１５に表示される画像の質が保たれる。なお、マイクロコンピュータ１１が、バックライト１７全体で一つの温度Ｔｊを算出した場合（あるいはバックライト１７全体で、発光色が異なるＬＥＤ１７ａ毎の温度Ｔｊの組を一組算出した場合）には、画像処理回路１３に通知される補正データＤ３も一つであり、画像処理回路１３は、映像の全画素に対して同じ補正データＤ３による補正を行う。一方、マイクロコンピュータ１１が、バックライト１７の領域毎に温度Ｔｊを算出した（あるいはバックライト１７の領域毎に、発光色が異なるＬＥＤ１７ａ毎の温度Ｔｊの組を算出した場合）には、画像処理回路１３には領域毎の温度Ｔｊに対応する補正データＤ３が通知され、画像処理回路１３は、映像の各画素に対して領域に応じた補正データＤ３による補正を行う。
【００２８】
処理３
マイクロコンピュータ１１は、ＬＥＤ駆動回路１６に、ＬＥＤ１７ａの温度Ｔｊに応じた補正データＤ４に基づいてＬＥＤ１７ａに供給する電流を調整させることにより、ＬＥＤ１７ａの色度補正を実行させる。補正データＤ４も、温度Ｔｊに対応して決められた色の補正に関する補正データの一種である。例えば、温度Ｔｊが高すぎるためにバックライト１７の色味（色度）が青みがかった白となる場合にかかる色度の変化を解消するように、ＬＥＤ駆動回路１６がＬＥＤ１７ａに供給する電流を低下させる制御データが、補正データＤ４として温度Ｔｊの値に応じて予め保存されている。補正データＤ４は、例えば、発光色ＲのＬＥＤ１７ａ、発光色ＧのＬＥＤ１７ａ、発光色ＢのＬＥＤ１７ａそれぞれに対する電流供給量を規定した制御データである。メモリ１２においては、一つの温度Ｔｊに対して一つの補正データＤ４（ＲＧＢ毎の制御データ）を対応付けたテーブルや、発光色が異なるＬＥＤ１７ａ毎の温度Ｔｊの組み合わせに対して一つの補正データＤ４（ＲＧＢ毎の制御データ）を対応付けたテーブルが保存されている。
【００２９】
マイクロコンピュータ１１は、上記算出した温度Ｔｊに対応する補正データＤ４をメモリ１２から読み出し、当該読み出した補正データＤ４をＬＥＤ駆動回路１６に通知し、ＬＥＤ駆動回路１６に補正データＤ４に基づく処理をさせる。つまりＬＥＤ駆動回路１６は、補正データＤ４に基づいて、ＲＧＢ各色のＬＥＤ１７ａに対する電流供給量を調整する。よって、例えば温度Ｔｊが高すぎるためにバックライト１７の色味（色度）が青みがかった白となっている場合であっても、補正データＤ４に基づく電流量の補正により、かかる色度の変化が解消され、バックライト１７の色度は理想的なものとなる。なお、マイクロコンピュータ１１が、バックライト１７全体で一つの温度Ｔｊを算出した場合（あるいはバックライト１７全体で、発光色が異なるＬＥＤ１７ａ毎の温度Ｔｊの組を一組算出した場合）には、ＬＥＤ駆動回路１６に通知される補正データＤ４も一つであり、ＬＥＤ駆動回路１６は、バックライト１７を構成する各ＬＥＤ１７ａへの電流供給に関して同じ補正データＤ４による調整を行う。一方、マイクロコンピュータ１１が、バックライト１７の領域毎に温度Ｔｊを算出した（あるいはバックライト１７の領域毎に、発光色が異なるＬＥＤ１７ａ毎の温度Ｔｊの組を算出した場合）には、ＬＥＤ駆動回路１６には領域毎の温度Ｔｊに対応する補正データＤ４が通知され、ＬＥＤ駆動回路１６は、バックライト１７の各ＬＥＤ１７ａに対して領域に応じた補正データＤ４による電流調整を行う。
【００３０】
処理４
マイクロコンピュータ１１は、ＬＥＤ１７ａの温度Ｔｊが所定のしきい値ＴＨを超えた場合には、ＬＥＤ１７ａの寿命低下や破壊等を防ぐために、ＬＥＤ１７ａへの保護機能を働かせる。しきい値ＴＨはメモリ１２に予め保存されている。マイクロコンピュータ１１は、上記算出した温度Ｔｊとしきい値ＴＨとを比較し、温度Ｔｊがしきい値ＴＨを超える場合には保護機能を働かせる旨をＬＥＤ駆動回路１６に通知する。なお、マイクロコンピュータ１１は、発光色が異なるＬＥＤ１７ａ毎の温度Ｔｊの組み合わせを得ている場合には、当該組み合わせの中で最も高い温度Ｔｊとしきい値ＴＨとを比較してもよいし、発光色が異なるＬＥＤ１７ａ毎の温度Ｔｊとしきい値ＴＨとをそれぞれ比較してもよい。
【００３１】
ＬＥＤ駆動回路１６は、保護機能を働かせる旨の通知をマイクロコンピュータ１１から受けた場合には、ＬＥＤ１７ａへの電流供給量を所定量まで低下させる。これによりＬＥＤ１７ａの温度が低下し、寿命低下や破壊等が防止される。なお、マイクロコンピュータ１１は、発光色が異なるＬＥＤ１７ａ毎の温度Ｔｊとしきい値ＴＨとをそれぞれ比較し、一部の発光色（例えばＲ）にかかるＬＥＤ１７ａの温度Ｔｊがしきい値ＴＨを超えると判定した場合には、ＬＥＤ駆動回路１６に対し、当該一部の発光色についてのみ保護機能を働かせる旨通知してもよい。当該通知を受けたＬＥＤ駆動回路１６は、当該一部の発光色にかかるＬＥＤ１７ａへの電流供給量のみを所定量まで低下させる。
【００３２】
なお、マイクロコンピュータ１１は、バックライト１７全体で一つの温度Ｔｊを算出した場合（あるいはバックライト１７全体で、発光色が異なるＬＥＤ１７ａ毎の温度Ｔｊの組を一組算出した場合）であって、温度Ｔｊがしきい値ＴＨを超えると判定した場合には、バックライト１７の全領域について保護機能を働かせる旨の通知をＬＥＤ駆動回路１６に対して行い、ＬＥＤ駆動回路１６は通知に応じた電流供給調整を行う。一方、マイクロコンピュータ１１は、バックライト１７の領域毎に温度Ｔｊを算出した（あるいはバックライト１７の領域毎に、発光色が異なるＬＥＤ１７ａ毎の温度Ｔｊの組を算出した場合）場合には、バックライト１７の領域毎に温度Ｔｊとしきい値ＴＨとの比較を行い、各領域に関する比較結果に応じて、各領域について保護機能を働かせか否かの通知をＬＥＤ駆動回路１６に対して行い、ＬＥＤ駆動回路１６は通知に応じて領域毎の電流供給調整を行う。
【００３３】
あるいは、ＬＥＤ駆動回路１６は、保護機能を働かせる旨の通知をマイクロコンピュータ１１から受けた場合には、ＬＥＤ１７ａへの電流供給を遮断する（つまりバックライト１７の発光を止める）としてもよい。ただし、ＬＥＤ１７ａへの電流供給を遮断する場合には、基本的には領域毎や発光色毎の制御は行なわず、バックライト１７を構成する全ＬＥＤ１７ａへの電流供給をストップする。
【００３４】
このように本実施形態によれば、照明としてのＬＥＤ１７ａの順方向電圧降下ＶＦに基づいてＬＥＤ１７ａの温度Ｔｊを算出し、さらに温度Ｔｊを利用して周囲温度Ｔａを算出し、算出した温度Ｔｊ，Ｔａそれぞれに基づいてＬＥＤ１７ａの発光や、液晶パネル１５における映像表示を制御するとした。よって、従来のようにＬＥＤの温度検知用のセンサを設けることなくＬＥＤの温度を適切に得ることができ、かつ、ＬＥＤの温度等に基づいて、ＬＥＤの寿命低下や破壊等を防止するための処理（保護機能の発動）や映像表示の質（色や液晶の応答速度）を確保するための処理を、適切に行なうことができる。
【符号の説明】
【００３５】
１０…表示装置、１１…マイクロコンピュータ、１２…メモリ、１３…画像処理回路、１４…Ｔ‐ＣＯＮ、１４ａ…ＯＤ調整回路、１５…液晶パネル、１６…ＬＥＤ駆動回路、１７…バックライト、１７ａ…ＬＥＤ、１８…電圧検出回路
【図１】
2012003156.tif 000003
【図２】
2012003156.tif 000004
【手続補正書】
【提出日】平成23年3月11日(2011.3.11)
【手続補正１】
【補正対象書類名】明細書
【補正対象項目名】００１８
【補正方法】変更
【補正の内容】
【００１８】
図２は、ＬＥＤ１７ａのアノード側の電圧Ｖと温度Ｔｊとの関係を１次関数により示している。図２からわかるように、電圧Ｖは、温度Ｔｊの増加とともに直線的に減少する。言い換えると、ＬＥＤ１７ａによる順方向電圧降下ＶＦが多いほど温度Ｔｊは増加する。かかる１次関数の傾きは、温度係数αを意味する。